(57)【特許請求の範囲】
【請求項１】
表カバーと裏カバーを隣り合う一対の側辺と底辺で封止すると共に残る一対の側辺と上辺をフリーに開放してシートのファイリング口としたシートファイル具であって、前記表カバーのフリーに開放した上辺若しくは側辺の一方若しくは両方に、裏カバーの対応する辺よりも張り出してなる張り出し部を設けると共に、該張り出し部の背面の少なくとも一部に、壁面等の被取り付け面に対して着脱自在に接面して取り付くことができる接面取り付け部を設け、且つ前記張り出し部を背面側に折畳み自在に構成してあることを特徴とするシートファイル具。
【請求項２】
張り出し部は、表カバーの上辺に、該上辺の全幅若しくは中央部の一定幅に亘って設けてあることを特徴とする請求項１に記載のシートファイル具。
【請求項３】
接面取り付け部は、吸着層で構成してあることを特徴とする請求項１又は２に記載のシートファイル具。
【請求項４】
接面取り付け部は、粘着剤を担持させた吸着層で構成してあることを特徴とする請求項１〜３の何れかに記載のシートファイル具。
【請求項５】
接面取り付け部は、非移行性の粘着層で構成してあることを特徴とする請求項１又は２に記載のシートファイル具。
【請求項６】
接面取り付け部は、強磁性を有する軟質層で構成してあることを特徴とする請求項１又は２に記載のシートファイル具。
【請求項７】
少なくとも表カバーは透明又は半透明のカバーであることを特徴とする請求項１〜６の何れかに記載のシートファイル具。
【請求項８】
張り出し部は、表カバーのフリーに開放した上辺の他に、表カバーのフリーに開放した側辺にも設けてあることを特徴とする請求項１〜７の何れかに記載のシートファイル具。
【発明の詳細な説明】
【技術分野】
【０００１】
本発明は、紙等の書類をシートとしてファイルするシートファイル具に関し、より詳しくは、壁面等の被取り付け面に対して着脱自在に取り付けて使用することが可能なシートファイル具に関する。
【背景技術】
【０００２】
従来、クリアファイルと称されるファイルが文房具として提供されている。このクリアファイルは、透明乃至半透明等のシートからなる表カバーと裏カバーとを有し、その表裏のカバーの間に書類等のシートを自在に挿入してファイルし、また取り出すことができるようにしたものである。このようなクリアファイルの例としては下記特許文献１がある。
一方、従来、広告、チラシ、お知らせ、ビジネス書類、メモ、写真等のシートを壁等の被取り付け面に着脱自在に取り付けて掲示することができるクリップが提供されている。このようなクリップの例としては、下記特許文献２、３がある。この特許文献２、３に開示されるクリップは、掲示の対象となるシートをマグネットで挟んで保持し、粘着や吸盤で壁面等の被取り付け面に着脱自在に取り付けるようにしたものである。
下記特許文献４には、掲示の対象となるシートを透明シートからなる袋（具本体）（１）に収容するようにし、その透明の袋（１）を支持プレート（２）に設けたピンや磁石からなる止め具（３ａ、３ｂ）で壁面等に取り付けるようにした掲示用具が開示されている。
更に特許文献５には、壁面等に取り付けることができるクリアファイルが開示されている。この特許文献５のクリアファイルは、表面シート（２）と基材シート（３）を有するクリアファイル（１）において、基材シート（３）の背面側に粘着層（６）を形成し、或いは素材に磁性粉を混練してシート状にしたものを基材シート（３）として用い、この基材シート（３）で壁面等に着脱可能に張り付けることができるようにしていたものである。
【先行技術文献】
【特許文献】
【０００３】
【特許文献１】実用新案登録第３１５３２３６号公報
【特許文献２】特開平１０−５０５１６号公報
【特許文献３】特開２０００−１１０８２１号公報
【特許文献４】実用新案登録第３１３５０１４号公報
【特許文献５】実用新案登録第３１５３８５７号公報
【発明の概要】
【発明が解決しようとする課題】
【０００４】
上記特許文献１に示すような従来のクリアファイルは、複数枚の書類等のシートを自在にファイルすることで、いろいろな書類がデスク等の上に散在するのを防止することができると共に、これらを系統的にまとめで保管できるメリットがある。
しかしながら、特許文献１に示すクリアファイルは、狭いデスク等の上に他の書類やファイルと一緒に積み置かれる状況となり易く、そのような積み置かれた状態では他の書類やファイル等にまみれて存在が希薄となり、必要な際にも所望の書類を速やかに見つけられない等の問題があった。
一方、上記特許文献２、３のクリップにおいては、書類等のシートが、全くカバーされることなく裸のまま、壁等に取り付けられるという大きな問題がある。
また上記特許文献４の掲示用具の場合は、書類等のシートを透明の袋（１）に入れて壁面等に掲示することができるメリットがある。しかし、あくまで袋（１）を用いた掲示用具であり、ファイリングには適しておらず、特に出入り口は上辺の一箇所だけであり、しかも支持プレート（２）を袋の中（背面シート１ｂの内側）に配置する構成であるので、袋（１）内へのシートの出し入れ、即ちファイリングが、スムーズにできないものであった。一方、書類は支持プレート（２）の袋（１）内に配置されることから、支持プレート（２）が視野障害となって、内部にファイルされている書類の一部が遮蔽されてしまう問題もあった。
上記特許文献５に開示のクリアファイルは壁面等に着脱可能に取り付けることができるものではある。しかし基材シート（３）側だけが壁面等に取り付けられ、表面シート（２）は壁面等に対して全くのフリー状態となるので、ファイルされた書類が壁面等から脱落、落下し易い問題を含んでいた。
加えて、粘着層（６）が基材シート（３）の裏面に、常時、ベッタリとついた状態であるため、その透明性のない粘着層（６）が視覚の妨げとなり易く、また壁等に取り付けない状態で周囲の物とくっついて、扱い難いという問題があった。
【０００５】
そこで本発明は上記従来における問題点を解決し、書類等を収容したファイル具を、そのまま壁面等に着脱自在に容易に取り付けることができるのは勿論、壁面等に取り付けられたファイル具からの書類等の脱落を十分に防止することができ、また壁面等に取り付けられた状態のファイル具からの書類等の取り出し或いは追加の差入れが容易で、加えてファイル具を壁面等へ取り付けるための取り付け手段が、壁面等への取り付けを行わない場合においても、嵩高くなく、収納や整頓の際にも邪魔とならない、シートファイル具の提供を課題とする。
【課題を解決するための手段】
【０００６】
本発明のシートファイル具は、表カバーと裏カバーを隣り合う一対の側辺と底辺で封止すると共に残る一対の側辺と上辺をフリーに開放してシートのファイリング口としたシートファイル具であって、前記表カバーのフリーに開放した上辺若しくは側辺の一方若しくは両方に、裏カバーの対応する辺よりも張り出してなる張り出し部を設けると共に、該張り出し部の背面の少なくとも一部に、壁面等の被取り付け面に対して着脱自在に接面して取り付くことができる接面取り付け部を設け、且つ前記張り出し部を背面側に折畳み自在に構成してあることを第１の特徴としている。
また本発明のシートファイル具は、上記第１の特徴に加えて、張り出し部は、表カバーの上辺に、該上辺の全幅若しくは中央部の一定幅に亘って設けてあることを第２の特徴としている。
また本発明のシートファイル具は、上記第１又は第２の特徴に加えて、接面取り付け部は、吸着層で構成してあることを第３の特徴としている。
また本発明のシートファイル具は、上記第１〜第３の何れかの特徴に加えて、接面取り付け部は、粘着剤を担持させた吸着層で構成してあることを第４の特徴としている。
また本発明のシートファイル具は、上記第１又は第２の特徴に加えて、接面取り付け部は、非移行性の粘着層で構成してあることを第５の特徴としている。
また本発明のシートファイル具は、上記第１又は第２の特徴に加えて、接面取り付け部は、強磁性を有する軟質層で構成してあることを第６の特徴としている。
また本発明のシートファイル具は、上記第１〜第６の何れかの特徴に加えて、少なくとも表カバーは透明又は半透明のカバーであることを第７の特徴としている。
また本発明のシートファイル具は、上記第１〜第７の何れかの特徴に加えて、張り出し部は、表カバーのフリーに開放した上辺の他に、表カバーのフリーに開放した側辺にも設けてあることを第８の特徴としている。
【発明の効果】
【０００７】
請求項１に記載のシートファイル具によれば、表カバーと裏カバーを隣り合う一対の側辺と底辺で封止すると共に残る一対の側辺と上辺をフリーに開放してシートのファイリング口としたシートファイル具であって、前記表カバーのフリーに開放した上辺若しくは側辺の一方若しくは両方に、裏カバーの対応する辺よりも張り出してなる張り出し部を設けると共に、該張り出し部を背面側に折畳み自在に構成し、且つ前記張り出し部の背面の少なくとも一部には、壁面等の被取り付け面に対して着脱自在に接面して取り付くことができる接面取り付け部を設けたことにより、
書類等のシートをファイリング口から表カバーと裏カバーとの間に出し入れ自在に収容することができる。そして書類等のシートを収容した状態のままで、その張り出し部の背面に設けた接面取り付け部で、容易に壁面等の被取り付け面に接面して取り付けることができる。これによって、第１に、お知らせ文書やチラシ等の掲示することを目的とするシートにあっては、この掲示用のシートを収容したファイルをそのまま壁面等の被取り付け面に掲示し、第三者への利用に供することができる。また第２に、整理や保管を目的とする書類等のシートにあっては、このシートを収容したファイルを壁面等の被取り付け面に取り付けて保管することで、ファイルをデスク等上で他の書類等の狭間に埋もれさせてしまうといったことなく、壁面等の被取り付け面上で相互に見易く保持、保管することができると共に、必要時に速やかに必要なファイルを見つけて、必要な書類等のシートをそこから取り出し或いは新たな書類等のシートを追加収容することができる。
また表カバーの張り出し部の背面に設けた接面取り付け部により、壁面等の被取り付け面に対して取り付ける構成であるので、取り付けの際には、表カバーが裏カバーを押えながら壁面等の被取り付け面に接面することになり、表カバーと裏カバーの両方が壁面等の被取り付け面から離れることなく、ピッタリと沿わされた状態で、綺麗に掲示することができる。
また接面取り付け部は、表カバーの張り出し部に設けてあるので、前記接面取り付け部が、吸着材や磁性材等の不透明な材料で構成されている場合においても、収容されている書類等のシートの視覚上の妨げにはならない。このことは、例えば透明材料で構成したシートファイル具をガラス壁やその他の透明壁からなる被取り付け面に取り付けた場合には、内部にファイルしたシートの内容を透明壁の表側に障害なく掲示できることは勿論のこと、透明壁の裏側にいる人用にも障害なく掲示することができるメリットを奏する。
勿論、本シートファイル具においては、これを壁面等の被取り付け面に取り付けた状態であっても、ファイリング口の側方からシートを新たに差入れ、或いは取り出すことが可能である。
更に本発明では、表カバーの張り出し部を背面側に折畳み自在に構成しているので、シートファイル具を壁面等の被取り付け面に取り付けることなく用いる場合には、前記張り出し部を折畳んで、表カバーの背面又は裏カバーの背面に重ねた状態に保持することで、ファイル具自体のサイズが大きくならないようにすることができる。
張り出し部を表カバーの背面に重ねて保持する場合には、従来から存在する通常のクリアファイルと同様の機能を発揮して書類等のシートを収容することができると共に、前記張り出し部が張り出さないので、張り出し部のない従来のクリアファイル等と略同等のサイズとなって、カバンや収納庫への収納の際に収納障害を新たに発生することがない。
一方、張り出し部を裏カバーの背面に重ねて保持する場合には、該重ね合わせによりファイル具のフリーな二辺のうちの一辺を更に閉止させることが可能となるので、ファイル具を一辺だけが開放した袋のような状態としても使用することが可能となり、必要に応じて収容した書類等のシートのファイル具からの逸脱をより確実に防止することが可能となる。
【０００８】
請求項２に記載のシートファイル具によれば、上記請求項１の構成による作用効果に加えて、張り出し部は、表カバーの上辺に、該上辺の全幅若しくは中央部の一定幅に亘って設けてあることにより、
張り出し部をその上辺の全幅に亘って設ける場合には、接面取り付け部を広幅で設けることができ、確実に壁面等の被取り付け面への取り付けを確保することができる。また張り出し部を、その上辺の中央部の一定幅に亘って設ける場合には、接面取り付け部をシートファイル具の左右のバランスが取れた位置に設けることが可能となり、幅寸法を短くしてもシートファイル具の壁面等の被取り付け面を確実なものとすることができる。
【０００９】
請求項３に記載のシートファイル具によれば、上記請求項１又は２の構成による作用効果に加えて、接面取り付け部は、吸着層で構成してあることにより、
張り出し部の吸着層によって、ガラス壁、金属壁、樹脂壁、その他の材料からなる壁の、少なくとも平滑な表面を備えた壁面等の被取り付け面に対して、繰り返し、着脱自在に接面して取り付けることができる。
【００１０】
請求項４に記載のシートファイル具によれば、上記請求項１〜３の構成による作用効果に加えて、接面取り付け部は、粘着剤を担持させた吸着層で構成してあることにより、
粘着剤を担持させた吸着層により、ガラス壁、金属壁、樹脂壁、その他の材料からなる壁の、少なくとも平滑な表面を備えた壁面等の被取り付け面に対して、繰り返し、着脱自在に接面して取り付けることができる。加えて、粘着剤を吸着層に担持されているので、その粘着剤が消耗しない状態では、吸着に粘着が加わって、一層確実に壁面等の被取り付け面に取り付けることができる。また平滑性に多少劣る壁面にも取り付けることができる。なお、粘着剤は吸着層に含浸させた状態で担持させることで、比較的長期に亘ってその粘着効果を持続させることができる。
【００１１】
請求項５に記載のシートファイル具によれば、上記請求項１又は２の構成による作用効果に加えて、接面取り付け部は、非移行性の粘着層で構成してあることにより、
非移行性の粘着層により、ガラス壁面、その他の壁面に接面して取り付けることができる。そして前記粘着層は非移行性の粘着層としているので、使用後にガラス壁面等の被取り付け面に粘着層がこびりつくことも予防できる。勿論、複数回数に亘って着脱を繰り返すことができる。
【００１２】
請求項６に記載のシートファイル具によれば、上記請求項１又は２の構成による作用効果に加えて、接面取り付け部は、強磁性を有する軟質層で構成してあることにより、
磁石が吸着できる壁面等の被取り付け面に対して、簡単に接面して取り付けることができる。
【００１３】
請求項７に記載のシートファイル具によれば、上記請求項１〜６の構成による作用効果に加えて、少なくとも表カバーは透明又は半透明のカバーであることにより、
壁面等の被取り付け面に接面して取り付けられた状態で、内部にファイルされた書類等のシートの内容を容易に見ることができる。
【００１４】
請求項８に記載のシートファイル具によれば、上記請求項１〜７の構成による作用効果に加えて、張り出し部は、表カバーのフリーに開放した上辺の他に、表カバーのフリーに開放した側辺にも設けてあることにより、
通常において長方形状からなると共に上辺を短辺、側辺を長辺としたシートファイル具において、必要に応じて、例えば収容されるシートの文字、図、写真等の向きに応じて、その長辺である側辺が上に位置するようにして、壁面等の被取り付け面に取り付けるようにすることができる。また上辺と側辺の二辺を用いて壁面等の被張り付け面に取り付けることで、より確実な張り付けが確保できる。勿論、壁面等の被張り付け面に張り付けない場合には、上辺と側辺の２つの張り出し部を表カバーの背面側に折畳むことで、張り出し部のない従来のクリアファイルと同等に使用することが出来る。また上辺と側辺の２つの張り出し部を裏カバーの背面側に折畳むことで、ファイル具の通常開放されている二辺を、必要に応じて閉止して、袋のような状態としても使用することも可能となり、予め収容した書類等のシートのファイル具からの逸脱をより確実に防止することが可能となる。
【図面の簡単な説明】
【００１５】
【図１】本発明の第１実施形態に係るシートファイル具の正面図で、表カバーの一部を少しめくった状態を示している。
【図２】本発明の第１実施形態に係るシートファイル具の裏面図で、裏カバーの一部を少しめくった状態を示している。
【図３】本発明の第１実施形態に係るシートファイル具を壁面に取り付けた状態を示す図である。
【図４】本発明の第１実施形態に係るシートファイル具を壁面に取り付ける前後の状態を示す縦断面図である。
【図５】本発明の第１実施形態に係るシートファイル具を壁面に取り付けることなく使用する場合の例を説明する縦断面図で、（Ａ）は張り出し部を折畳む前の状態、（Ｂ）は張り出し部を表カバーの背面側に折畳んだ状態、（Ｃ）は張り出し部を裏カバーの背面側に折畳んだ状態、をそれぞれ示す。
【図６】（Ａ）、（Ｂ）はそれぞれ本発明の他の実施形態に係るシートファイル具を示す要部の縦断面図である。
【図７】本発明の更に他の実施形態に係るシートファイル具の正面図である。
【発明を実施するための形態】
【００１６】
以下の図面を参照して、本発明に係るシートファイル具を説明し、本発明の理解に供する。しかし、以下の説明は特許請求の範囲に記載の発明を限定するものではない。
【００１７】
図１〜図５を参照して、本発明の第１実施形態に係るシートファイル具１は、表カバー１０と裏カバー２０とを有する。
シートファイル具１は、表カバー１０と裏カバー２０とが、それらの側辺（封止側辺）１０ａ、２０ａと底辺１０ｄ、２０ｄで封止されている。即ち、側辺１０ａ、２０ａで折り曲げられ、また底辺１０ｄ、２０ｄで相互に接合されて形成されている。表カバー１０と裏カバー２０の残る一対の側辺（開放側辺）１０ｂ、２０ｂと上辺１０ｃ、２０ｃはフリーに開放され、ファイリング口Ｅとされている。勿論、前記表カバー１０と裏カバー２０は、矩形形状のものをそれぞれ別葉で用意し、それらの一対の側辺と底辺とを接合することで一体化し、前記ファイリング口Ｅを構成するようにしてもよい。前記接合は融着、圧着、その他の既存の各種方法で行うことができる。
書類等のファイリング（収容）の対象となるシートＳを、シートファイル具１にファイリングする場合、例えば表カバー１０の開放側辺１０ｂから上辺１０ｃにかけての肩部を手に持ち、前記ファイリング口Ｅを開けることで、１乃至複数枚の書類等のシートＳを容易に挿入して収容し、また取り出すことができる。
このシートファイル具１は、各種書類、メモ等の文字書類としてのシート、広告、チラシ、お知らせ、ポスター、写真等のシート、模様や図等の絵柄としてのシート、それら文字、写真、絵柄の組み合わせからなるシート等、また材質として紙、プラスチック、その他の材質からなるシート等、また目的として掲示を目的とするシート或いは整理や保管を目的とするシート等、あらゆるシートＳを対象として、それらのシートＳを１乃至複数枚、出し入れ自在に収容するものである。
このシートファイル具１は、デスク上に載置したり書庫に立て掛けたりする他、特に壁面やその他の垂直平面等の被取り付け面Ｗに接面して取り付けることができる大きなメリットがある。
【００１８】
前記表カバー１０は、透明乃至半透明のシートを用いるのが好ましい。表カバー１０の使用材料としては、例えばポリプロピレンを用いることができる。勿論、その他の樹脂材料を用いてもよい。更に樹脂材料以外の材料を用いることも可能である。厚みは特に限定されるものではないが、使用する材料に応じて、内部に収容される１乃至複数枚のシートＳの重み等に対して簡単には破損せず且つ表カバー１０を手で捲って前記ファイリング口Ｅを自在に開放することができる柔軟性を有する程度とする。
前記透明乃至半透明シートとは、表カバー１０の下にあるシートＳの記載内容が見えるものという程度の意味である。勿論、色つきのシートも可能である。
【００１９】
前記裏カバー２０は、表カバー１０と同じ材質の樹脂等のシートを用いることができる。勿論、表カバーとは異なる材質のものを用いてもよい。
表カバー１０も裏カバー２０も矩形形状とする。ここで矩形形状とは、正方形、長方形、及びそれらの四隅が少し落とされたような略正方形、略長方形を含む概念である。
【００２０】
本第１実施形態のシートファイル具１においては、表カバー１０の上辺１０ｃに張り出し部１１を設けている。またその張り出し部１１の背面に接面取り付け部３０を積層状態にして設けている。接面取り付け部３０は壁面等の被取り付け面Ｗに対して着脱自在に接面して取り付くことができる機能を備える。
【００２１】
前記表カバー１０の張り出し部１１は、表カバー１０の上辺１０ｃを、それに対応する裏カバー２０の上辺２０ｃよりも張り出した状態に構成された領域である。
張り出し部１１は、本実施形態では表カバー１０の上辺１０ｃの中央部に一定の幅に亘って設けている。勿論、張り出し部１１は上辺１０ｃの全域に設けてもよい。また上辺の複数個所に左右のバランスをとって張り出し部１１を設けることも可能である。
前記張り出し部１１の背面に設けられる接面取り付け部３０は、本実施形態では張り出し部１１の略全域に亘って設けている。勿論、この接面取り付け部３０は、張り出し部の略域幅ではなく、適当な１乃至複数の部分に設けることも可能である。
【００２２】
上記のように構成することで、表カバー１０の張り出し部１１背面の接面取り付け部３０を壁面等の被取り付け面Ｗに取り付けることで、シートファイル具１を被取り付け面Ｗに取り付けて保持することができる。
表カバー１０の張り出し部１１の背面に設けた接面取り付け部３０で、被取り付け面Ｗに接面して取り付けるようにすると、裏カバー２０の上辺２０ｃが表カバー１０の上辺１０ｃによって被取り付け面Ｗに一緒に押し付けられるため、ファイリング口Ｅが綺麗に閉じられた状態となって、シートファイル具１をピッタリと被取り付け面Ｗに張り付けることができる。
【００２３】
シートファイル具１の被取り付け面Ｗへの取り付けは、該シートファイル具１に予めシートＳをファイルした状態で行うことができる。またシートファイル具１を被取り付け面Ｗに取り付けた状態では、ファイリング口Ｅのうち表裏カバー１０、２０の側辺１０ｂ、２０ｂの位置から、シートＳを新たにファイリング口Ｅから差し入れてファイルし、或いは既にファイルされたシートＳを取り出すことが可能である。
【００２４】
本発明では、接面取り付け部３０を表カバー１０の張り出し部１１に設けることにより、表裏カバー１０、２０が透明である限りにおいて、シートファイル具１を壁面等の被取り付け面Ｗに取り付けた状態で、障害なく、ファイルされたシートＳの全容を見ることができる。もし接面取り付け部３０を表裏カバー１０、２０の通常の位置、即ちシートＳをファイリング（収容）する位置に設ける場合には、差し入れられたシートＳの一部が見えなくなる。
また本発明では、接面取り付け部３０を表カバー１０の張り出し部１１に設けることにより、表裏カバー１０、２０が透明である限りにおいて、シートファイル具１をガラス等の透明壁からなる被取り付け面Ｗに取り付けることで、壁面のこちら側だけでなく、その透明壁の反対側からもファイルされたシートＳの内容を隈なく見ることができる。このことは、お知らせ文書やチラシなどの掲示対象シートＳを壁を隔てた位置にいる人にも掲示して見てもらう場合に非常に都合がよい。
もし裏カバー２０の上辺２０ｃに張り出し部分を設けた場合には、透明壁の反対側からもファイルされたシートＳの内容は見ることはできるが、他方で、壁面等に取り付けられた状態で、シートファイル具１の表カバー１０が何ら壁面等に押し付けられることなくフリーに動く状態となる。このため壁面掲示中に表カバー１０が捲れ、内部のシートＳも捲れる等、見た目が悪い他、脱落し易くなる。
【００２５】
前記接面取り付け部３０は、既述したように、シートファイル具１を壁面等の被取り付け面Ｗに接面して取り付ける役割を果たすものである。
この接面取り付け部３０は、吸着層によって積層状態に構成することができる。吸着層の表面を全面で壁面等の被取り付け面Ｗに押し当てることで、被取り付け面Ｗへの吸着がなされ、これによってシートファイル具１が接面状態に被取り付け面Ｗに取り付けられる。また吸着層を被取り付け面Ｗから剥がすことで、シートファイル具１を被取り付け面Ｗから取り外すことができる。何回も繰り返して使用することができる。
吸着層を接面取り付け部３０として用いたシートファイル具１の場合は、吸着を利用した取り付けであることから、平滑な表面を持つ壁面等の被取り付け面Ｗに好ましく使用することができる。取り付けは着脱自在に繰り返して行うことができる。例えばガラス表面、金属表面、樹脂表面、その他、表面粗さの小さい材料表面に好適である。
前記吸着層としては、少なくとも被取り付け面Ｗに対面する吸着層表面の全面に吸着特性を保有する材料を用いている。
前記接面取り付け部３０は、例えば吸着層を備えた両面テープを用いて構成することができる。即ち、両面テープの一方のテープ面で張り出し部１１の裏面側に、容易に剥離しないように接合、積層して接面取り付け部とする。両面テープの他方のテープ面が壁等の被取り付け面Ｗに対する接面部となって、着脱自在に吸着する。
【００２６】
更に前記接面取り付け部３０は、粘着剤を担持させた吸着層によって積層状態に構成することができる。粘着剤を担持させることで、吸着力に加えて粘着力を発揮し、被取り付け面Ｗへの取り付けが一層確実に行える。また平滑性に多少劣る壁面にも取り付けることができる。
前記粘着剤の担持は、例えば非移行性の粘着剤を吸着層に含浸させることによって行うことができる。含浸させることで、長期に亘って粘着の効果を持続させることができる。
【００２７】
前記接面取り付け部３０は、粘着層によって積層状態に構成することができる。この粘着層は複数回繰り返して使用できるものとする。また粘着層は非移行性の粘着剤を用いて、シート提示具１を壁面等の被取り付け面Ｗから取り外す際に、粘着剤が被取り付け面Ｗ側に残留しないようにしている。
この粘着層からなる接面取り付け部３０は、粘着層を備えた両面テープを用いて、上記吸着層を備えた接面取り付け部３０の場合と同様に構成することができる。
【００２８】
前記接面取り付け部３０は、強磁性を有する軟質層で積層状態に構成することができる。この強磁性を有する軟質層は、例えば強磁性の磁石粉を分散させたゴムや軟質のプラスチックとすることができる。このような強磁性を有する接面取り付け部３０を用いることで、金属製の壁面やその他、磁石が吸着できるようにした壁面等の被取り付け面Ｗに対して複数回繰り返して使用することができる。
この強磁性を備えた接面取り付け部３０は、強磁性を有する軟質層を備えた両面テープを用いて、上記吸着層を備えた接面取り付け部３０の場合と同様に構成することができる。
【００２９】
前記シートファイル具１の裏カバー２０は、日本工業規格Ａ列、Ｂ列に属する寸法若しくは規定の写真寸法の何れか１つに該当するシートＳが少し余裕をもって入る平面寸法に構成してある。即ち、Ａ２、Ａ３、Ａ４等のＡ列に属する規定の寸法、Ｂ４、Ｂ５等のＢ列に属する規定の寸法、四つ切、八つ切等の規定の写真寸法に属する規定の寸法の何れかの寸法に対応して、その寸法の対象シートＳが多少の余裕をもって収容される平面寸法を定めている。そして表カバー１０は、張り出し部１１の領域で、裏カバー２０よりも大きくなっている。
【００３０】
前記張り出し部１１は、背面側に折畳み自在に構成している。この構成は本発明の重要な機能を奏する。即ち、シートファイル具１を壁面等の被張り付け面Ｗに対して張り付けに供しない状況において、前記張り出し部１１が突出して邪魔にならないようにすることができる。これは、例えばＡ４寸法のシートＳに対応する従来のクリアファイル等の寸法は、Ａ４サイズより少し大きい程度としており、そのサイズでカバンや収納庫のスペースに良好に収納できるようになっている。しかしながら本発明のような張り出し部１１があると、そのままでは収納がうまくできない等の問題が生じる。張り出し部１１を折畳み自在とすることで、張り出し部１１の出っ張りを必要に応じて解消し、収納時等における不都合をなくして、従来のクリアファイル等と同等の扱いができるのである。
【００３１】
第１実施形態では、張り出し部１１を、表カバー１０をその上辺１０ｃにおいて延長する形に構成している。従って表カバー１０と同材料であるので、張り出し部１１の折畳みを他よりも容易にするための、折畳み容易部１２を張り出し部１１の付け根付近に構成している。
前記折畳み容易部１２は第１実施形態では折畳み部１２の付け根付近に線状に形成している。線状の折畳み容易部１２の形成は、例えば図５の（Ａ）に示すように、張り出し部１１背面の付け根付近に圧潰による線状の薄肉部を形成することにより行うことができる。圧潰による薄肉部の場合は、切れ目が入っているわけではないので、繰り返し屈曲による破損寿命の低下を減じることができる。
【００３２】
図５を参照して、張り出し部１１の背面側への折畳みは、図５（Ｂ）に示すように、表カバー１０の背面側に折畳むことができる。また図５（Ｃ）に示すように、裏カバー２０の背面側に折畳むことができる。
前記張り出し部１１を裏カバー２０の背面側に折畳む場合においては、張り出し部１１が裏カバー２０の背面に回って重なることにより、シートファイル具１に収容されたシートＳが、ファイリング口Ｅからはみ出したり脱落したりするのを防ぐことが可能となる。
更に張り出し部１１の接面取り付け部３０を吸着層や粘着層で構成している場合には、張り出し部１１を裏カバーの背面に折畳むことで、張り出し部１１を裏カバー２０の背面に吸着や粘着させた状態に重ねることが可能となる。よって、その重ね合わせによりファイル具１のファイリング口Ｅを構成するフリーな二辺（１０ｂ、１０ｃ、２０ｂ、２０ｃ）のうちの一辺（上辺１０ｃ、２０ｃ）が閉止され、残る一辺（側辺１０ｂ、２０ｂ）だけが開放された袋のような状態とすることが可能となり、収容された書類等のシートＳのファイル具からの逸脱をより確実に防止することが可能となる。
【００３３】
図６を参照して、本発明の他の実施形態に係るシートファイル具１を説明する。
図６（Ａ）に示す実施形態は、張り出し部１１を表カバー１０とは別に用意し、これを表カバー１０に対して接着剤で貼着し或いはその他の手段を用いて直接的に接合する構成としている。この場合、張り出し部１１は表カバー１０よりも軟質のものを用いることで、硬い表カバー１０から突出する張り出し部１１の付け根付近が実質的に折畳み容易部１２となり、張り出し部１１をその張り出しの付け根付近から背面側に容易に折畳むことができる。
張り出し部１１は、接面取り付け部３０を吸着層或いは粘着層或いは強磁性を有する軟質層として、裏面の全面若しくは一部に予め積層して備えたものを用いることができる。
張り出し部１１を表カバー１０に取り付ける場合において、接面取り付け部３０等による不透明部分が収容されたシートＳの視野障害とならないように、表カバー１０の縦寸法を上辺側で少し長くしてもよい。
【００３４】
図６（Ｂ）に示す実施形態は、張り出し部１１を表カバー１０とは別に用意し、この張り出し部１１を、連結紙４０を介して、表カバー１０に取り付ける構成としている。この場合、連結紙４０は表カバー１０よりも軟質のものを用いることで、表カバー１０と張り出し部１１との継ぎ目の連結紙４０の部分を折畳み容易部１２として、張り出し部１１をその付け根付近から背面側に容易に折畳むことができるようにしている。
張り出し部１１は、接面取り付け部３０を吸着層或いは粘着層或いは強磁性を有する軟質層として、裏面の全面若しくは一部に予め積層して備えたものを用いることができる。
連結紙４０は、例えばポリプロピレン（ＰＰ）、ポリエチレンテレフタレート（ＰＥＴ）、塩化ビニール（ＰＶＣ）、その他の材料を用いることができる。しかし弾力性があり、折畳みを繰り返しても破損し難いものが好ましい。表カバー１０と同じ材質の連結紙４０を用いる場合は、厚みが表カバー１０よりも少し薄肉のものを用いることで、前記表カバー１０と張り出し部１１との継ぎ目での折畳みを容易にすることができる。
本実施形態の場合においても、接面取り付け部３０等による不透明部分が収容されたシートＳの視野障害とならないように、表カバー１０の縦寸法を上辺側で少し長くしてもよい。
【００３５】
図７を参照して、本発明の更に他の実施形態を説明する。
この実施形態は、接面取り付け部３０を設けた張り出し部１１を、表カバー１０の上辺１０ｃに設けるだけではなく、表カバー１０の開放された側辺１０ｂにも設けるようにしたものである。例えばシートファイル具１がＡ４のシートＳに対応して長方形状に構成されている場合、通常は短辺を上辺１０ｃとして張り出し部１１を設けるが、長辺である側辺１０ｂにも設けることになる。
側辺１０ｂにも張り出し部１１を設けることで、この側辺１０ｂの張り出し部１１を上にして壁面等に取り付ければ、横長に用いたシートＳの内容を容易に掲示して提供することができる。
また側辺１０ｂにも張り出し部１１を設けることで、上辺１０ｃの張り出し部１１による取り付けに加えて側辺１０ｂの張り出し部１１による取り付けを加えることができ、一層確実で安定した壁面等への取り付けを確保することができる。
また張り出し部１１を壁面等の被取り付け面Ｗへの取り付けに使用しない場合において、上辺１０ｃの張り出し部１１のみならず側辺１０ｂの張り出し部１１をも裏カバー２０の背面に折畳むことで、ファイル具１のファイリング口Ｅを構成するフリーな二辺（１０ｂ、１０ｃ、２０ｂ、２０ｃ）の両方を閉止することができる。よって四方がふさがれた袋のような状態とすることが可能となり、収容された書類等のシートＳのファイル具からの逸脱をより確実に防止することが可能となる。
【産業上の利用可能性】
【００３６】
本発明は広告、チラシ、お知らせ、ポスター、ビジネス書類、メモ等の文字書類としてのシート、写真としてのシート、模様や図等の絵柄としてのシート、それら文字、写真、絵柄の組み合わせからなるシートを、シートＳとして、ファイルし、デスク上に置いたり、書庫に立て掛けたりする他、壁面等に着脱自在に取り付けて使用することができるシートファイル具として産業上利用することができる。
【符号の説明】
【００３７】
１            シートファイル具
１０          表カバー
１０ａ        側辺
１０ｂ        側辺
１０ｃ        上辺
１０ｄ        底辺
１１          張り出し部
１２          折畳み容易部
２０          裏カバー
２０ａ        側辺
２０ｂ        側辺
２０ｃ        上辺
２０ｄ        底辺
３０          接面取り付け部
４０          連結紙
Ｅ            ファイリング口
Ｓ            シート
Ｗ            被取り付け面
【図１】
0005528220.tif 000002
【図２】
0005528220.tif 000003
【図３】
0005528220.tif 000004
【図４】
0005528220.tif 000005
【図５】
0005528220.tif 000006
【図６】
0005528220.tif 000007
【図７】
0005528220.tif 000008